Podtech/llm-jp-corpus-v4-ja_patent huggingface dataset:
(57)【要約】【課題】従来１つの身体装飾品に１つの飾り部品が装着された物が多く、変換式のアクセサリーシステムも存在するが、汎用的に付け替えできる物が無かった。【解決手段】アクセサリー変換システムに汎用的で単純な共通形状を持たせることで、各部品の生産性、剛性、耐久性の向上を図る事ができる。【選択図】図１
2010207250.tif 000002
【特許請求の範囲】
【請求項１】
主要装飾部品と取り付け台座を共に同位置で貫通し、取り付け台座に組み込んだばね反発力を利用した脱落防止ピンで接合保持される、脱落防止溝付き接合ピンにより分離結合出来る特徴を持つ、主要装飾部品、取り付け台座、接合ピンを有するアクセサリー等の身体装飾システム及び、そのシステムから成る物品。
【請求項２】
主要装飾部品と取り付け台座が共に単一、若しくは複数での拡張的取り付けが出来る特徴を持つ、請求項１によるアクセサリー等の身体装飾システム及び、そのシステムから成る物品。
【発明の詳細な説明】
【技術分野】
【０００１】本発明はアクセサリー等の身体装飾品を身につけて楽しもうとする人々の、益々高まる創造的装飾欲求に随時対応するために、従来には無い結合方法を用いて身体装飾品の取り付け方法を自由に変換することが出来るシステム及びそのシステムから成る物品である。
【背景技術】
【０００２】従来の主要装飾部品と取り付け台座を自由に変換、着脱可能な身体装飾品、アクセサリー等の装飾システムは存在するが、主要装飾部品と取り付け台座のシステム及び形状が専用的な物が多く見られた。
【先行技術文献】
【特許文献】
【特許文献】特許公表２００２−５０４０００（特許請求の範囲  請求項１〜６、図１〜４）  特許公開２００３−２９９５１２（特許請求の範囲  請求項１〜３、図１〜１３）
【０００３】本発明では従来の取り付け方法、例えば特許公表２００２−５０４０００の主要装飾部品に接合用小型ピンを内蔵する物では無く、特許公開２００３−２９９５１２のアクセサリー主要装飾部品と取り付け台座部とがアクセサリーごとにそれぞれ異なる結合部品を用いる物では無く、装着部位、例えば腕部では腕輪、腕時計、指部では指輪、首部ではネックレス等で共通して使用する主要装飾部品（ピース）、結合ピンと全体形状としてはそれぞれ異なるアクセサリーである取り付け台座部（ベース）の３点を用いて成る物である。
【特許文献１】特許公表２００２−５０４０００（特許請求の範囲  請求項１〜６、図１〜４）
【特許文献２】特許公開２００３−２９９５１２（特許請求の範囲  請求項１〜３、図１〜１３）
【０００４】本発明は従来個別の宝飾品に専用のセッティングを施された身体装飾品として制作されたアクセサリー類を、使用者の好みに応じて変換できるシステム及び物品である。
又、従来あったアクセサリー変換システムとも異なる部品構成、部品結合方法を用い、かつ各アクセサリーに共通でシンプルなシステム及び部品を用いることで、生産効率も良く汎用性を持たせると共に、使用者の様々な創造的装飾欲求に応じたシステム及び物品の提供を行う。
【非特許文献１】ジンクス・マクグラス著「ジュエリー制作の技法事典」スタジオタッククリエイティブ  平成１９年７月２１日発行Ｐ１２２〜１２５  石留め（セッティング）の項目
【発明の概要】
【発明が解決しようとする課題】従来、使用者の身体装飾方法は腕輪、指輪、ネックレス等、１つの身体装飾品に１つの宝飾品等の飾り部品が装着された物が多く、変換式のアクセサリーシステムも存在するが、専用的形状が多く、汎用的に付け替えできる物が無かった。
【課題を解決するための手段】アクセサリー変換システムに装飾品独自の専用形状では無く、汎用的で単純な共通形状を持たせることで、各部品の生産性、剛性、耐久性の向上を図る事ができる。
【発明の効果】上記手段で作成される本システム及び物品は様々な特性を持つ素材材料で作成されうる。この事象は使用者の創造的装飾欲求を満たすばかりで無く、従来無かった素材材料による身体的装飾品、宝飾品、アクセサリー等、新規の物品の開発が期待される。この事象は又新たな市場の開発に繋がり、身体装飾品、ファッション市場の活性化、ひいては新規の雇用創出、社会的貢献にも繋がると考えられる。
【図面の簡単な説明】
【図１】本発明構成部品の斜視図である。
【図２】本発明構成部品１Ａの縦断面図、及び接合ピン脱落防止機構を示した物である。
【図３】接合ピンの正面図、及び側面図（平面図）である。
【図４】取り付け台座機能付き拡張型主要装飾部品である。
【図５】腕輪型取り付け台座である。
【図６】ネックレス型取り付け台座である。
【発明を実施するための形態】
本発明は、取り付け台座、主要装飾部品、接合ピンの３点の構成部品から成る。取り付け台座には接合ピン脱落防止機能（図２参照）が備わっており、接合ピンの不意の脱落を防いでいる。主要装飾部品を別の物と交換する際は、棒などの押し出し器具を用いて接合ピン脱落防止機能側から接合ピンを取り付け台座から完全に押し出す。脱落防止機能の反対側からでも接合ピンを押し出すことが可能であるが、その際は脱落防止ピンが接合ピンに設けた２箇所の接合ピン脱落防止溝２箇所を超える必要がある。取り付け台座は図１、図５、図６の様に様々な形態を取ることが出来る。主要装飾部品も様々な形態を取ることが可能であり、例えば図１の２Ａの様な単体形状から、図４の２Ｂの様に複数の取り付け台座機能を持つ主要装飾部品とする事もできる。接合ピンは図３で示す構造で成る。
【実施例】図１は本発明の指輪での実施例である。
【産業上の利用可能性】従来の宝飾品、アクセサリー等の身体装飾品では主要装飾部品と取り付け台座は独自形状での一体型の物が多く見られる。本発明では主要装飾部品と取り付け台座は取り外しが可能で組み合わせ次第で様々なアクセサリーに変換できるため、従来のアクセサリー市場では無かったデザイン、大きさ、素材材料等、新規のアイデアを加えて発展できる、潜在的可能性を多く持つものである。この事象により作成される身体装飾システム及び物品はさらに新規のアイデアを生み、アクセサリー新規市場の開拓、市場の活性化による新規雇用の創出、アクセサリー、衣服等のファッション文化との連携発展、等社会的には経済、文化方面に貢献できる要素を多様に含む。
【符号の説明】１Ａ  指輪型取り付け台座
１Ｂ  腕輪型取り付け台座
１Ｃ  ネックレス型取り付け台座
２Ａ  主要装飾部品
２Ｂ  取り付け台座機能付き拡張型主要装飾部品
３    接合ピン
３ａ  接合ピン抜き出し用器具当て溝
３ｂ  脱落防止ピン乗り越え傾斜加工
３ｃ  脱落防止ピン留め溝
４    接合ピン穴
５    脱落防止ピン留めねじ
６    脱落防止ピン
７    脱落防止ピン押しばね
【図１】
2010207250.tif 000003
【図２】
2010207250.tif 000004
【図３】
2010207250.tif 000005
【図４】
2010207250.tif 000006
【図５】
2010207250.tif 000007
【図６】
2010207250.tif 000008
(57)【要約】【課題】地震による床の揺れがあっても、壁面に沿わせて設置した家具などの床置き器財が、動いて壁面から離れたり転倒することのない免震機構を提供する。【解決手段】器財下面の前端側と後端側に接地部材を配設し、後端側接地部材の器財前方への移動抵抗は極力大きくし、後端側接地部材の後方への移動抵抗および前端側接地部材の前後両方向への移動抵抗は器財が倒れること無く移動する程度に小さく設定した。【選択図】図１
2010207522.tif 000002
【特許請求の範囲】
【請求項１】
床置き器財の免震機構であって、器財下面の器財前端側と器財後端側に接地部材を配設し、後端側接地部材の器財前方への移動抵抗は極力大きくし、後端側接地部材の後方への移動抵抗および前端側接地部材の前後両方向への移動抵抗は器財が倒れること無く移動する程度に小さく設定した免震機構。
【発明の詳細な説明】
【技術分野】
【０００１】
本発明は、家具など床置き器財の免震機構の改良に関するものである。
【背景技術】
【０００２】
従来の免震機構として、壁面に沿って設置した家具の下面に接地部材を配設し、壁面側の接地部材の移動抵抗を、壁面から遠い側の接地部材の移動抵抗よりも小さくした家具免震機構が特開平１０−１２７３９２に示されている。この発明の効果は、床の揺り返しに対し家具は抵抗の少ない接地部材側へ移動することで壁面から離れないというものである。
【先行技術文献】
【特許文献】
【０００３】
【特許文献１】特開平１０−１２７３９２
【発明の概要】
【発明が解決しようとする課題】
【０００４】
しかしながら従来の機構にあっては、壁面から遠い側の接地部材の移動抵抗を積極的に大きくしており、壁面から離れる方向の揺れが生じた場合その力の大きさによっては接地部材の抵抗によって家具が躓く格好となり倒れる可能性がある。
【課題を解決するための手段】
【０００５】
本発明は、器財下面の前端側と後端側に接地部材を配設し、後端側接地部材の器財前方への移動抵抗は極力大きくし、後端側接地部材の後方への移動抵抗および前端側接地部材の前後両方向への移動抵抗は器財が倒れること無く移動する程度に小さく設定した。
【発明の効果】
【０００６】
上記の構成とすることにより、床面が揺れても家具は倒れることが無く、また壁面からも離れにくくなるという効果が得られる。
【図面の簡単な説明】
【０００７】
【図１】本発明の一実施例の構造図である。
【発明を実施するための形態】
【０００８】
以下、本発明の実施例について図を参照して説明する。
【０００９】
図１は本発明の実施例を示す図である。
家具（３）下面の前端側と後端側にコロが配設されている。前端側コロ（５）はA方向B方向ともに移動抵抗が最小となっている。また後端側コロ（４）はB方向への１ウェイ回転構造となっており、B方向への移動抵抗は最小であるが、A方向へは回転せず移動抵抗は大きい。
【００１０】
地震により床面（１）がB方向に揺動すると家具（３）は相対的にA方向に動こうとするが、後端側コロ（４）は回転せず床面（１）との摩擦抵抗で動きに抗する。しかし、さらに大きな揺動の場合、家具（３）は慣性力によりA方向へ傾こうとし後端側コロ(４)は床面（１）から浮き、前端側コロ（５）だけに重量が負荷される。このとき前端側コロ（５）は移動抵抗が無いためA方向に転がり出し、その直後に家具（３）の傾きはもとに戻り、倒れは防止される。
【００１１】
地震の揺り戻しにより床面（１）がA方向に揺動すると、前端側コロ（５）と後端側コロ(４)共に移動抵抗が無いため床面（１）が移動した分だけ家具（３）は壁面（２）に近づく。地震の揺れが繰り返してもこの動きが繰り返されることで、家具（３）は多少の揺れを生じながらも壁面（２）から大きく離れることなく倒れることもない。また、家具（３）の背面にクッション（６）を設けるなど、他の機能を付加し組み合わせることで家具（３）のバタつきや衝撃をさらに緩和することができる。
【００１２】
尚、本発明は、器財とは別体の台に本機構を適用し、その台に器財を乗せて免震することも想定しており、包含するものである。
【産業上の利用可能性】
【００１３】
本発明は、家具など各種の床置き器財に適用される。
【符号の説明】
【００１４】
１    床面
２    壁面
３    家具
４    後端側コロ
５    前端側コロ
６    クッション
【図１】
2010207522.tif 000003
【手続補正書】
【提出日】平成22年1月5日(2010.1.5)
【手続補正１】
【補正対象書類名】特許請求の範囲
【補正対象項目名】全文
【補正方法】変更
【補正の内容】
【特許請求の範囲】
【請求項１】
床置き器財の免震機構であって、器財下面の器財前端側と器財後端側に接地部材を配設し、後端側接地部材の器財前方への移動抵抗は極力大きくし、後端側接地部材の後方への移動抵抗および前端側接地部材の前後両方向への移動抵抗は器財が倒れること無く移動する程度に小さく設定した、地震の揺れが繰り返しても壁面から大きく離れることなく倒れることもない免震機構。
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
床置き器財の免震機構であって、器財下面の器財前端側と器財後端側に接地部材を配設し、後端側接地部材の器財前方への移動抵抗は極力大きくし、後端側接地部材の後方への移動抵抗および前端側接地部材の前後両方向への移動抵抗は器財が倒れること無く移動する程度に器財の重量に応じて小さく設定した、地震の揺れが繰り返しても壁面から大きく離れることなく倒れることもない免震機構。
(57)【要約】【課題】同じ形状の棚板の組合わせにより、４角形・５角形・６角形と様々な形状の棚を作る事が可能となった。【解決手段】棚板▲１▼と棚板▲１▼の接合部分の断面を半円とし、ボルト▲３▼で緊結し、軸回転する構造とした。背板▲２▼を溝▲４▼に挟み固定され堅固な物となる。【選択図】図２
2010207545.tif 000002
【特許請求の範囲】
【請求項１】
棚板▲１▼と棚板▲１▼の緊結部分の断面を半円とし、軸回転する構造とした。
棚板と棚板はボルト▲３▼で緊結され、棚板の枚数により、４角形・５角形・６角形と棚形状が決定される。決定した形に合わせた背板▲２▼を固定し、棚として成立する。
棚板の色の組合わせも可能な棚である。
【発明の詳細な説明】
【技術分野】
【０００１】この発明は棚板の接合部に可動性を持たせ、同じ形状の棚板の構成で４角形・６角形と多角形の棚を作る事を可能にしたものである。
また棚板のサイズを変える事により、台形なども組み立てる事ができる。
【背景技術】
【０００２】従来棚板の接合部に可動性は無く、４角形の棚・６角形の棚等、別々の形状の棚板を組み合わせていた。この発明は、同じ形状の棚板を使い様々な棚形状を可能にするものである。
【発明の開示】
【発明が解決しようとする課題】
【０００３】従来、棚は棚板の組み替えを前提にしていない。よって収納する物に合わせ棚の形状を変える事は出来なかった。また美的な観点から棚自体のデザインを変えたいという要望に応える事は出来なかった。
本発明は、以上のような欠点を無くす為になされたものである。
【課題を解決するための手段】
【０００４】棚板▲１▼と棚板▲１▼の接合部分の断面を半円とし、ボルト▲３▼で緊結し軸回転する構造とした。背板▲２▼は棚自体の形を維持する構造部材である。
４角形の棚の場合、棚板を４枚繋げ、６角形の棚の場合棚板を６枚繋げる。
さらに、背板の形状により平行四辺形の棚ができ、棚板の長さを変えれば台形の棚が出来る。このようにバリエーションは多種可能となる。
【発明の効果】
【０００５】棚板を組み替える事により、棚の形状を変えたり、自分の好みで棚板の色の組み合わせを変えたりする事が可能となる。
利用者の使い勝手の変化、趣味嗜好の変化に追従可能となり、無駄に捨てられる事も少なくなる効果もある。
【発明を実施するための最良の形態】
【０００６】棚板▲１▼と棚板▲１▼の接合部分の断面を半円とし、ボルト▲３▼で緊結し軸回転する構造とした。
軸回転する事により、棚形状は４角形（正方形・長方形・平行４辺形・台形）５角形・６角形と、様々な多角形を作る事が可能となる。
構造上は、棚板をボルトで緊結し、背板を固定する事により堅固な物になる。
応用例として
［図８］平行４辺形の棚の配列
［図９］台形の棚の配列
［図１０］４角形の棚（１辺が他より長い）の配列
［図１１］６角形の棚
以上を図示しました。
また、棚板一枚ごと色を変える事も可能なので、利用者が自ら色の配列をデザインする事が出来る。
【図面の簡単な説明】
【０００７】
【図１】本発明の斜視図である。
【図２】本発明の構成図である。
【図３】本発明の平面図である。
【図４】本発明の正面図である。
【図５】本発明のＡ−Ａ’断面図である。
【図６】本発明のＢ−Ｂ’断面図である。
【図７】本発明のＣ−Ｃ’断面図である。
【図８】本発明の平行４辺形の棚を４個配列した正面図である。
【図９】本発明の台形の棚を４個配列した正面図である。
【図１０】本発明の４角形の棚（一辺が他より長い）を４個配列した正面図である。
【図１１】本発明の６角形の棚の正面図である。
【符号の説明】
【０００８】▲１▼棚板
▲２▼背板
▲３▼ボルト
▲４▼背板をはさむ溝
【図１】
2010207545.tif 000003
【図２】
2010207545.tif 000004
【図３】
2010207545.tif 000005
【図４】
2010207545.tif 000006
【図５】
2010207545.tif 000007
【図６】
2010207545.tif 000008
【図７】
2010207545.tif 000009
【図８】
2010207545.tif 000010
【図９】
2010207545.tif 000011
【図１０】
2010207545.tif 000012
【図１１】
2010207545.tif 000013
(57)【要約】【課題】従来、果肉の固いりんご、柿などの皮剥き機は数本、例えば３本のピンに差し込み、これ等の果物の固定を図って皮を剥いていた。一方柑橘類にこの機械を用いると果肉がやわらかいため、中でつぶれてピンが空回りし皮を剥くことができなかった。他に、柑橘類の皮を剥く小型で容易に取り付け移動可能な機具はなく、手で剥く以外に方法はなかった。【解決手段】  ３本のピンを羽根状の鋼板にすることにより、柑橘類との接触面を多くとることになり、しっかり固定することで回転時に果肉が崩れ空転することがなくなるので上記の問題を解決した。【選択図】図１
2010207548.tif 000002
【特許請求の範囲】
【請求項１】
柑橘類を回転させながら柑橘類の皮を剥く機械における柑橘類の固定用金具において、羽根状の剛体で構成され略等角度で配置された固定金具。
【発明の詳細な説明】
【技術分野】
【０００１】      柑橘類の皮剥き機に関し、柑橘類を回転させ刃で皮を剥く機械において、柑橘類を固定する技術分野である。
【背景技術】
【０００２】      従来、果肉の固いりんご、柿などの皮剥き機は数本、例えば３本のピンに差し込みこれ等の果物の固定を図って皮を剥いていた（下記の特許文献）。一方、柑橘類については果肉柔らかく崩れ、この機械を使うことはできず手で皮をむいていた。皮を剥くのはゼリー、プリン等の菓子や、果汁にする際に皮のエグミをなくすためである。
【先行技術文献】
【特許文献】
【特許文献】特許第３３４９５６１
【０００３】
【発明の概要】
【発明が解決しようとする課題】
【０００４】柑橘類にこの機械を使えなかったのは、果肉の柔らかい柑橘系にこのピンで固定すると果肉が崩れ回転できないという問題がありこの回転させて皮を剥くのは不向きであった。このため手で皮を剥くことを余儀なくされた。したがって柑橘類の皮剥き作業は効率が悪く、しかも衛生面で問題もあった。
【課題を解決するための手段】
【０００５】上記ピンを羽根状のステンレスなどの鋼板を用いて柑橘類との接触面を多くとることによりしっかり固定することで回転時に果肉が崩れ空転することがなくなるので上記の問題を解決した。
【発明の効果】
【０００６】従来柑橘類の皮剥きは手で行っていたものがこの羽根で柑橘類を固定することにより回転を伴う皮剥き機を用いることにより格段に作業効率が向上した。
更に、最近は皮の需要が増加し、食品や化粧品、入浴剤などに利用されている。
この皮剥き機は、皮が薄くきれいに剥けるので、皮の商品価値が上がる。
【図面の簡単な説明】
【０００７】
【図１】柑橘用に発案した３枚羽根
【図２】皮剥き機全体図
【図３】対象物を差し込んだところ
【図４】皮剥き機と柑橘類を差し込んだ実写
【実施例】
【０００８】柑橘類の皮剥きのために固定するピンを改め３枚羽根１で構成する。この３枚羽根１は略１２０°で配置されている。この３枚羽根１の先端を鋭利な角度にして柑橘類を差し込み固定しやすくする。また本例では３枚羽根１で実施例を記載しているが３枚羽根１に限定するものでもない。２枚羽根でも４枚羽根，５枚羽根でも実用に耐えうるのは自明である。
この固定用の３枚羽根１を有する皮剥き機を作業台に固定し、この３枚羽根に皮を剥く対象となる柑橘類４を根元まで差込み、ハンドル５を手で回していき、皮剥き刃２が柑橘類４に当たるのを確認して更にハンドル５を回していく。この皮剥き刃２はハンドル５の回転と歯車３で連動し柑橘類４の外側に沿って移動し皮を剥く。１〜２秒で剥けるので皮剥き刃２が柑橘類４から離れたのを確認して皮の剥けた柑橘類を３枚羽根１から抜く。
【符号の説明】
【０００９】１・・・・３枚羽根
２・・・・皮剥き刃
３・・・・歯車
４・・・・柑橘類
５・・・・ハンドル
【図１】
2010207548.tif 000003
【図２】
2010207548.tif 000004
【図３】
2010207548.tif 000005
【図４】
2010207548.tif 000006
(57)【要約】      （修正有）【課題】箸を使いたいがうまく持てなかったり、持ててもうまく動かせない大人や子供が箸の使い方を学べるように、人差し指と中指の正しい位置が判りやすく、上となる箸の回転と長軸方向の動きを損なわずに、箸の先端が長軸方向や左右にずれることなく揃うように練習できる練習箸を提供する。【解決手段】２本の箸（１）を柔軟性のある板バネ（２）でつなぐ。上となる箸の近位に指を置くガイド（３）を取り付け、下となる箸の遠位に箸の先端がずれないためのガイド（４）を取り付ける。【選択図】図１
2010207550.tif 000002
【特許請求の範囲】
【請求項１】
２本の箸の上部を可動性を保ちながらつなぎ、上となる箸には指を置く位置にガイドを付け、２本の箸の先がずれることなく揃うためにに下の箸の遠位部にガイドを付けた箸。
【発明の詳細な説明】
【技術分野】
【０００１】  この発明は、２本の箸の間をつなぎ、指の位置と箸の遠位部にガイドを付けた箸に関するものである。
【背景技術】
【０００２】  従来の箸は、棒状であり、２本が離れていて、箸の持ち方と動かし方の学習に多くの努力を必要とする。
【発明の開示】
【発明が解決しようとする課題】
【０００３】  従来の箸には次のような欠点があった。
（イ）箸は２本に離れているため片手で持つことに手間取る。
（ロ）箸を持つ指のうち特に人差し指と中指の位置が理解されにくい。
（ハ）箸の開閉の動かし方が学習されにくい。
（ニ）上の箸の回転、長軸方向の動きが学習されにくい。
（ホ）箸の先端が長軸方向、左右にずれてしまい、つかむことに失敗しがちである。
箸の使用の学習にはこの様な難しさがある。
本発明は、以上のような欠点をなくし、箸の使用の学習を容易にするためになされたものである
【課題を解決するための手段】
【０００４】  ２本の箸（１）の間をわずかな可動性を持たせ、また箸先が開くようにつなぎ（２）、上の箸の近位に指を置くためのガイド（３）を固定し、下の箸の遠位に箸の先が開きすぎる事を防ぐため及び箸の先が揃いやすくするためのガイド（４）を取り付ける。
本発明は、以上の構成よりなるガイド付き練習箸である。
【発明の効果】
【０００５】離れた箸２本を引き寄せ、長さを整えて持つ過程を補助することができ、親指・人差し指・中指を正しい位置に誘導できる。また、箸の間を柔軟性のある板バネでつなぐことにより、箸の先を開く動きを助け、本来の動きである上の箸の回転や長軸方向の動きは制限されず保たれる。下の箸に固定されたガイドによって箸の先を適度な距離に保ち、２本の箸の先端がずれずに揃うよう動きを誘導することで食べ物をしっかりとつかむことができる。
【発明を実施するための最良の形態】
【０００６】  以下、本発明を実施するための最良の形態について説明する。
２本の箸（１）の間を柔軟性のある板バネ（２）でつなぐ。
上の箸の近位（３）に、人差し指と中指を置くために溝をつけたガイドをつける。
下の箸の遠位（４）に、２本の箸の先端が揃うために、上の箸の動きを誘導するガイドをつける。
本発明は、以上のような構造である。
箸の使用を学習したい大人や子供が食事でこの箸を使用すればよい。
【図面の簡単な説明】
【０００７】
【図１】  本発明の斜視図である。
【図２】  本発明の側面図
【符号の説明】
【０００８】  １    箸
２    箸の間をつなぐ柔軟性のある板バネ
３    指を置くガイド
４    箸先を揃えるためのガイド
【図１】
2010207550.tif 000003
【図２】
2010207550.tif 000004
(57)【要約】【課題】  本発明は、傾斜台に傾斜部を設け、傾斜部に略Ｖ字状のバネ板を取り付けたもので、傾斜台に上り、両足の踵部分で挟み押すバネ板を取り付けた失禁台を提供する。【解決手段】  傾斜台（１）に傾斜部（２）を設け、傾斜部（２）に略Ｖ字状のバネ板（３）を取り付けたことを特徴とする。【選択図】図１
2010207556.tif 000002
【特許請求の範囲】
【請求項１】
傾斜台（１）に傾斜部（２）を設け、傾斜部（２）に略Ｖ字状のバネ板（３）を取り付けたことを特徴とする失禁台。
【発明の詳細な説明】
【技術分野】
【０００１】  本発明は、傾斜台に傾斜部を設け、傾斜部に略Ｖ字状のバネ板を取り付けたもので、傾斜台に上り、両足の踵部分で挟み押すバネ板を取り付けた失禁台に関するものである。
【背景技術】
【０００２】  従来、失禁に関して、予防するために、失禁体操を行うのが一般的であった。
予防を目的とした器具は、次のようなものが提案されている。
女性の尿失禁、膣の緩みの症状を治療と予防する。この発明は１人で正しく骨盤低筋群や括約筋を鍛えるためのトレーニング補助器具が提案されている。（特許公開２０００−２３７３４５）
内股に刺激を与えて肛門拳筋、尿道括約筋、肛門括約筋等を鍛えることによる尿失禁予防のための膝台アタッチメントを腹筋用具の中央に設け尿失禁予防のための膝台アタッチメントと腹筋用具を組み合わせることによる尿失禁予防を目的とする尿失禁予防用具が提案されている。（登録実用新案第３１３８１７３号）
【特許技術文献】
【０００３】
【特許文献１】  特開２０００−２３７３４５号公報
【特許文献２】  登録実用新案第３１３８１７３号公報
【発明の概要】
【発明が解決しようとする課題】
【０００４】  これは次のような欠点があった。
失禁を治すため、病院への通院や家庭で柱につかまり、尻を締め筋肉を鍛えている所を他人に見られたくないので、行うのが大変だった。
本発明は、以上のような欠点をなくするためになされたものである。
【課題を解決するための手段】
【０００５】  傾斜台（１）に傾斜部（２）を設ける。
傾斜部（２）に略Ｖ字状のバネ板（３）を取り付ける。
本発明は、以上の構成よりなる失禁台である。
【発明の効果】
【０００６】  本発明の失禁台の傾斜面に上り、尻を締めると同時バネ板を両足踵部で締めると、膣、肛門を締める力が強くなる。
【図面の簡単な説明】
【０００７】
【図１】  本発明の斜視図である。
【図２】  本発明の使用状態を示した説明図である。
【発明を実施するための形態】
【０００７】  以下、本発明を実施するための形態について説明する。
傾斜台（１）に傾斜部（２）を設ける。
傾斜部（２）に略Ｖ字状のバネ板（３）を取り付ける。
以上のように構成された失禁台である。
本発明の使い方を説明する。
傾斜面（２）に上り、バネ板（３）を両足踵部で挟み、尻に力を入れると同時に両足に力を入れて押す。
【符号の説明】
【０００８】      １  傾斜台
２  傾斜面
３  バネ板
【図１】
2010207556.tif 000003
【図２】
2010207556.tif 000004
(57)【要約】【課題】  一般に病院や医院では重症患者の精密な分時尿量や総尿量の測定には、メスシリンダー様の精密尿量計器の付属した蓄尿バッグを用いて、看護師等が約１時間毎に精密計器内に溜まった尿量を目視で計測し、計測の終わった尿を手動で蓄尿バッグ本体部に移行、貯留する必要がある。【解決手段】  本発明の蓄尿用容器は、その導尿路（チューブ）の中途に点滴筒を有することを特徴とし、排泄された尿を点滴筒内の点滴針を通過させることで滴下流を作り、日本国特開昭５９−１３５０６３や実新開平６−５０６５１などに記載される光電式センサーによる点滴監視装置等の機器を用いて、尿の滴下数を計測し、１滴当りの質量から容易に分時尿量や総尿量を自動計測・表示することを可能にした。【選択図】図１
2010207558.tif 000002
【特許請求の範囲】
【請求項１】
排泄された尿を蓄尿する為の容器であって、その導尿路の中途に、非接触的に尿量を計測する目的の為の点滴筒を有することを特徴とする蓄尿用容器。
【発明の詳細な説明】
【技術分野】
【０００１】  本発明は、一般に病院や医院で使用されている蓄尿バッグの導尿路（チューブ）の中途に、分時尿量や総尿量を自動的に計測する目的で、点滴筒を組み入れた蓄尿用容器に関する。
【背景技術】
【０００２】  病院や医院において重症患者の尿の管理は、患者の循環機能や腎機能を始めとする全身状態を把握するために極めて重要なものである。従来用いられてきた一般的な蓄尿バッグは目盛りも大雑把で、精密な尿量を計測するには不向きであり、メスシリンダー様の精密尿量計器の付属した蓄尿バッグでは、約１時間毎に、計器内に貯留された尿量を測定し、測定を終えた尿を蓄尿バッグ本体部に移行・貯留する作業が必要となる。しかもこのような作業は２４時間を通して人の手に委ねられている。人の手に依存しない完全自動化された尿量計測器も一部市販されているものの、その機器の高価さや再使用する部品によっては洗浄方法や再滅菌方法が複雑なことから一般に普及するに至っていない。
【発明の概要】
【発明が解決しようとする課題】
【０００３】  本発明は、臨床上極めて重要でありながら、従来２４時間を通して人の手に委ねられてきた重症患者の尿量の測定のために、安価でかつ簡便な密閉式の単回使用蓄尿バッグを用いることで院内感染や汚染を防止しながら、尿の完全自動計測を可能にした蓄尿用容器を提供することにある。
【課題を解決するための手段】
【０００４】  上述の目的を達成する本発明の蓄尿用容器は、その導尿路（チューブ）の中途に点滴筒を有することを特徴とする。点滴筒を有することで、排泄された尿を滴下させることが出来、その滴下数を測定することで自動的な尿量の計測が可能となった。【０００５】  日本国特開昭５９−１３５０６３や実新開平６−５０６５１などに記載される光電式の発光部と受光部の間を滴下体が通過し、光が遮断されることにより滴下数を計測する光電センサー式点滴監視装置等の機器を用いて、尿の滴下数を計測することが可能であり、前もって１滴当りの質量を把握しておけば排泄された尿量を容易に自動計測・表示することが出来る。
【発明の効果】
【０００６】  本発明による導尿路（チューブ）の中途に点滴筒を有する蓄尿用容器は臨床上極めて重要な重症患者の分時尿量や総尿量を安価に、簡単に、かつ安全に自動計測することを可能した蓄尿用容器として有用である。
【図面の簡単な説明】
【０００７】
【図１】  本発明の蓄尿用容器の全体図
【図２】  同蓄尿用容器を光電センサー式点滴監視装置にセットした設置概略図
【図３】  同蓄尿用容器がセットされた光電センサー式点滴監視装置の拡大図
【図４】  同蓄尿用容器の点滴筒の拡大図
【図５】  同蓄尿用容器の点滴筒に設けられた点滴針の内部断面図
【発明を実施するための形態】
【０００８】  図１は本発明の実施例である導尿路（チューブ）の中途に点滴筒を有する蓄尿用容器を示す全体図である。患者の膀胱内に挿入された導尿用カテーテルに、▲１▼接続コネクターが接続され、患者から排泄された尿は▲２▼導尿路（チューブ）を通って▲６▼蓄尿バッグ本体部に貯留される。その導尿路（チューブ）の中途に組み込まれた▲３▼点滴筒内の▲４▼点滴針を通過することで、尿は一時的に点滴流となる。
【０００９】  図２は同蓄尿用容器の▲３▼点滴筒を、▲１０▼点滴監視装置にセットした設置概略図である。患者から排泄された尿は▲２▼導尿路（チューブ）の中途に組み込まれた▲３▼点滴筒内の▲４▼点滴針を通過することで、一時的に点滴流となり、▲１０▼点滴監視装置の▲１１▼光電式センサーで感知することで滴下数を自動的に計測し、１滴当りの質量を把握しておけば容易に尿量を表示することが出来る。
【００１０】  図３は▲３▼点滴筒がセットされた状態の▲１０▼点滴監視装置の拡大図である。点滴▲１１▼光電式センサーの拡大図である。
【００１１】  図４は▲３▼点滴筒内部の▲４▼点滴針の縦断面拡大図である。同針の内部に▲１２▼整流用スポンジ等を設置することで少尿の時でも、また多尿の時でも安定した点滴流を実現させることが出来る。
【００１２】  患者から排泄された尿は▲６▼蓄尿バッグ本体部で貯留される。一般的には軟質ポリ塩化ビニル樹脂製の前面が透明のシートで、背面が白色のシートを張り合わせた物が多いが、蓄尿を目的とする容器であれば、材質の硬軟や貯尿部の形状に限定は無い。蓄尿バッグの上部には貯留された尿内の雑菌の逆行感染を防止する為の▲５▼逆行防止筒があり、またバッグ内部の排気のための▲９▼排気用フィルターが設置されている。蓄尿バッグの下部には貯留された尿の排出用に▲７▼クランプの付いた▲８▼排液チューブが設置されている。
【符合の説明】
【００１３】  ▲１▼接続コネクター
▲２▼導尿路（チューブ）
▲３▼点滴筒
▲４▼点滴針
▲５▼逆行防止筒
▲６▼蓄尿バッグ
▲７▼クランプ
▲８▼排液チューブ
▲９▼排気用フィルター
▲１０▼点滴監視装置
▲１１▼光電式センサー
▲１２▼整流用スポンジ
【図１】
2010207558.tif 000003
【図２】
2010207558.tif 000004
【図３】
2010207558.tif 000005
【図４】
2010207558.tif 000006
【図５】
2010207558.tif 000007
(57)【要約】      （修正有）【課題】作用点となる歯に直角に常にあたれば、力点となる部分の力が歯に最大の効率であたり歯垢や歯石を容易に除去できる歯ブラシを提供する。【解決手段】中央部に平坦な束を設けその周りを構造補強するように四方からなだらかな裾野のような傾斜を設けることによって富士山状の構成となり、細い溝や細いくぼみ（門歯の裏のくぼみ）に山頂状の毛先がピタットフィットし、この束を周りの裾野を構成する植毛群の支えですぐに倒れたり、開いたりし難くなり、効率のよいブラシイング効果を引き出せるようになった。【選択図】図１
2010207551.tif 000002
【特許請求の範囲】
【請求項１】
中央部に平たんな束を設けこれを頂上として、その周りを構造補強するように西方になだらかな裾野のような傾斜を設けることによって富士山状の構成となり、頂上の毛先が種々の歯や歯間部の細い形状にフィットするのを妨げず、しかも裾野を構成するブラシの支えで頂上を構成する一番使う毛先が縦横に活躍、かつ耐久性を向上させる毛先のカットを施した歯ブラシ
【請求項２】
第１請求項記載の富士山状カットを梃子の原理を利用してブラシが歯に当たるところを作用点として、手で保持した部分を力点として柄のもう一方の端を回転軸の支点として対象に直角に当たるようにした回転自在歯ブラシに応用し、その効果を最大にする請求項１記載の富士山状カットのブラシを応用した歯ブラシ
【発明の詳細な説明】
【技術分野】
【０００１】歯ブラシ【０００２】タフト歯ブラシ
【背景技術】
【０００３】    現在市販されている歯ブラシは三角形タフト、山切りカット、蒲鉾形、ドーム形、楔形、極細テーパーカット、一束タフトなどがあるがどの形状もある一部には良く当てはまるが歯の裏側の数ミリメートル程度のくぼみや歯間部の各部の誤差にピタット当てはまらない。
【発明の開示】
【発明が解決しようとする課題】
【０００４】作用点となる歯に直角に常にあたれば、力点となる部分の力が歯に最大の効率であたり歯垢や歯石を容易に除去できる。【０００５】上記（０００３）記載の種々の形状には次のような問題点を解決できずにいる。
すなわち三角形タフトでは三角に切ったために、歯間部の奥に入れなくなるし、門歯の裏では毛先が点でしか当たらず、効率が悪いし、腰がなくすぐに毛が開いてしまう。山切りカット歯間に入りそうであるが、この間隔あらゆる歯列に的確に合うことが稀である。蒲鉾形中央部が咬合面の谷間になだらか過ぎて、かえってフィットしない。楔形も蛇行する歯周溝には入りにくく、矯正中のワイヤーの中に入りやすく見えるが、歯の接合部分の部品を検出できず、入りにくい。平たんに丸加工も咬合面の凹面にフィットし難い。極細テーパーカットは先が細く一見溝やくぼみに入りやすく見えるが毛がばらついて一箇所に集中し難く必ずしも歯周溝や門歯の裏側に腰の強いあたりが出来ない。一束タフトもある程度当たるが腰がなくすぐに開いてしまう欠点を持つ。
【課題を解決するための手段】
【０００６】中央部に平坦な束を設けその周りを構造補強するように四方からなだらかな裾野のような傾斜を設けることによって富士山状の構成となり、細い溝や細いくぼみ（門歯の裏のくぼみ）に山頂状の毛先がピタットフィットし、この束を周りの裾野を構成する植毛群の支えですぐに倒れたり、開いたりし難くなり、効率のよいブラシイング効果を引き出せるようになった。【０００７】前述の富士山状のブラシを植毛したブラシを梃子の原理を利用して、富士山状の毛先が歯の裏側のくぼみや歯間部の形に形状的にも、動的な運動中にもくぼみの底やふちにもピッタト密着しやすく、また歯間部の深部から入り口までも当たるように動くのでその接触点を作用点（１）として、手で保持する筒（５）上の点、力点（７）に加えられた手の力が筒（５）の下で自在に回転するように柄（３）のもう一方の先端部に設けたストッパー（６）を回転軸の支点（８）として、自在に回転して止まる構造を持った回転自在歯ブラシに応用した。
【発明の効果】
【０００８】この発明によって、歯の裏のくぼみや歯間を確実に捉えること出来るとともに、毛先の力が格段の力と持続力を持つことによって格段の清掃効果を引き出し、更にこのブラシを梃子の原理利用した上記回転自在歯ブラシに応用することによって、直角に当てることができ、最大の効率下で簡単に歯垢や歯石を除去できるようになった。
【発明を実施するための最良の形態】
【０００９】０００６で記載した富士山状のカットをした歯ブラシ【００１０】富士山状のカットされたブラシを回転自在歯ブラシに応用した実施例のように常に対象に直角に当たって効率を最大とする基本構造を持った回転自在歯ブラシ
【実施例】
【００１１】図１  富士山状カット毛先  正面図
図２  富士山状カット毛先  側面図
図３  富士山状カット毛先  平面図
図４  ａ  山切りカット  ｂ  三角形タフト  ｃ  楔形カット  ｄ  蒲鉾形カット  ｅ  極細テーパーカット  ｆ  一束タフト  ｇ  Ｔ字形ドームカット
図５  富士山状にカットした毛先を回転自在歯ブラシに応用した実施例を示す正面図
図６  請求項２の富士山状カット毛先付き回転自在歯ブラシがどのように梃子の原理を利用した発明かを示す図
【図面の簡単な説明】
【００１２】
【図１】  富士山状にカットしたブラシの正面図
【図２】  富士山状にカットしたブラシの側面図
【図３】  富士山状にカットしたブラシの平面図
【図４】  従来の毛先でこの発明に近い形状を列記した図  ａ  山切りカット  ｂ  三角形タフト  ｃ  楔形カット  ｄ  蒲鉾形カット  ｅ  極細テーパーカット  ｆ  一束タフト  ｇ  Ｔ字形ドームカット
【図５】  請求項２に記載された富士山状カットした毛先を回転自在歯ブラシに応用した実施例の正面図
【図６】  梃子の原理を回転自在歯ブラシに利用した発明の骨子を示す図  ブラシの先が歯の表面に触れた時作用点となり、親指と人差し指で挟むこのくびれ部分が力点になり、前述のストッパーの前面部が支点となる。  この原理により確実にブラシが歯の裏側や歯間部に常に直角に当たるようになる。
【符号の説明】
【００１３】  １  富士山状にカットされたブラシで作用点となる
２  従来の毛先カットの種類を示す図
ａ  山切りカット  ｂ  三角形タフト  ｃ  楔形カット  ｄ  蒲鉾形カット  ｅ  極細テーパーカット  ｆ  一束タフト  ｇ  Ｔ字形ドームカット
３  ブラシの柄
４  歯
５  筒
６  柄のストッパー
７  親指と人差し指で挟む部分で力点となる箇所
８  回転軸の支点となる部位
【図１】
2010207551.tif 000003
【図２】
2010207551.tif 000004
【図３】
2010207551.tif 000005
【図４】
2010207551.tif 000006
【図５】
2010207551.tif 000007
【図６】
2010207551.tif 000008
【手続補正書】
【提出日】平成21年10月14日(2009.10.14)
【手続補正１】
【補正対象書類名】図面
【補正対象項目名】図２
【補正方法】変更
【補正の内容】
【図２】
2010207551.tif 000009
(57)【要約】      （修正有）【課題】従来の紙芝居の、主に大人によって固定された専用ケースから一枚づつ引き抜いて場面展開する上演方法と異なり、場所や人を選ばず紙芝居を組み立てる楽しさや、体を使い動かして上演する面白さを体験可能にした紙芝居キットの提供。【解決手段】４個の立方体を組立て、３ヶ所を蝶番機能をもつ７で連結し立体的な紙芝居を完成させて、場面展開には４個の立方体を縦・横開き、反転を繰り返し動かし、必要場面では６を取付けしかけ絵５を作り変化と動きの機能で紙芝居への集中力をより高める。【選択図】図２
2010207552.tif 000002
【特許請求の範囲】
【請求項１】
４枚の折り畳まれた平面を４個の立方体に組立て、３ヶ所を蝶番機能を持つリングなどで連結させ、縦・横開きや反転機能が可能な紙芝居キット。
【請求項２】
立方体４個の２４面の中で、上演するうえで必要な場面にしかけ絵を取り付けた紙芝居キット。
【発明の詳細な説明】
【技術分野】
【０００１】本発明は折り畳まれた４個の立方体を組立て、蝶番機能を持つリングなどでつなぎ合わせ、場所や人を選ばず製作、上演することが出来る紙芝居をキットにしたものである。
【背景技術】
【０００２】従来の紙芝居は平面の絵を引き抜きながら上演する方法で、本発明のように立方体で縦・横・反転させながら上演する紙芝居はなかった。
【先行技術文献】
【特許文献】
【０００３】
【発明の概要】
【発明が解決しようとする課題】
【０００４】従来のように固定された専用ケースから一枚づつ引き抜く紙芝居は、上演者の「語り方」や「題目選び」が面白さや成功の重要な要素と考えられている為に、学校・図書館・幼稚園など限られた場所で大人の演者により上演される事が多くみられる。
【課題を解決するための手段】
【０００５】本発明は場所や人を選ばず、だれもが紙芝居を組立て、上演する面白さを体験可能にしたキットである。
４個の立方体を組立て３ヶ所を蝶番機能を持つリングなどで連結し本体を完成させて、縦・横・反転の場面展開にしかけ絵を加え、変化や動きの機能をそなえた紙芝居である。
【発明の効果】
【０００６】紙芝居をキットにした事でコンパクトに持ち運びが出来て、場所や人を選ばず紙芝居製作を楽しめ、従来のアナログ的な紙芝居にはない、縦・横・反転の場面展開にしかけ絵を加えた本発明はデジタルゲームになれた子供にも驚きと集中力を与える事が可能になる。
【図面の簡単な説明】
【０００７】
【図１】  本発明の組立状態を示す立体図である。
【図２】  本発明の上演を示す正面立体図である。
【図３】  本発明の上演を示す縦開き方の側面立体図である。
【図４】  本発明の上演を示す横開き方の側面立体図である。
【発明を実施するための形態】
【０００８】紙芝居キットの中から立方体１、２、３、４になるように組立て、４個の立方体を３ヶ所で蝶番機能をもつ７で連結し、必要場面に６を取付けしかけ絵５を作る。
【実施例】
【０００９】
【産業上の利用可能性】
【００１０】アナログでありながら、変化や動きのインパクトを生かす本発明の紙芝居は以下の利用が可能である。
・テレビコマーシャル
・動画ネット配信コマーシャル
・官公庁など公共広告のＰＲやデモンストレーション
【符号の説明】
【００１１】  １  立方体の１
２  立方体の２
３  立方体の３
４  立方体の４
５  しかけ絵本体
６  しかけ紙面
７  蝶番機能リング
【図１】
2010207552.tif 000003
【図２】
2010207552.tif 000004
【図３】
2010207552.tif 000005
【図４】
2010207552.tif 000006
(57)【要約】      （修正有）【課題】流し台の生ゴミカゴは通常円周が狹くてよく手が入らず、洗いにくくてヌルヌルが良く洗えない。【解決手段】上記課題解決のために、生ゴミカゴの上部と下部を切り離し出来るようにして、洗い終った後はまた結合して使うようにするもの。【選択図】図３
2010207563.tif 000002
【特許請求の範囲】
【請求項１】
流し台の「生ゴミカゴ」の下部をとりはずし出来るようにするため、上部と下部を切り離せるように作って、下部も洗い易いようにする「生ゴミカゴ」を作ること。
【発明の詳細な説明】
技術分野
本発明は流し台の生ゴミカゴの下部もキレイに洗える生ゴミカゴを作ること。
背景技術
流し台の生ゴミは、通常円周が狹くて下部をキレイに洗いにくいので、下部をとりはずせるようにするカゴを作る。
発明が解決しようとする課題
生ゴミカゴの下部を洗い易いようにするために、カゴの下部を切り離せるようにすること。カゴをキレイに洗い終ったアトは上、下部を結合できるように上部分を下部分に底辺まで、はさみ込むように作る。
課題を解決するための手段
生ゴミカゴの上部（カゴの１０分の７ぐらい）と下部を切り離し、上部と下部をキレイに洗った後は、上部を下部の底辺まで下げて結合させ、一体化させる。
発明の効果
生ゴミカゴが隅々までキレイに洗えて、ヌルヌル感が残らなくなる。
発明を実施するための最良の形態
生ゴミカゴを上部７分、下部３分位に切り離せるようにして、キレイに洗い終ったアトは結合部分で一体化させて、使う。
2010207563.tif 000003
【手続補正書】
【提出日】平成21年6月23日(2009.6.23)
【手続補正１】
【補正対象書類名】明細書
【補正対象項目名】全文
【補正方法】変更
【補正の内容】
【発明の詳細な説明】
【技術分野】
【０００１】本発明は流し台の生ゴミカゴの下部もキレイに洗える生ゴミカゴを作ること。
【背景技術】
【０００２】流し台の生ゴミは、通常円周が狭くて、下部をキレイに洗いにくいので、下部をとりはずせるようにするカゴを作る。
【課題を解決するための手段】
【０００３】生ゴミカゴの上部（カゴの１０分の７ぐらい）と下部を切り離し、上部と下部をキレイに洗った後は、上部を下部の底辺まで下げて結合させ、一体化させる。
【発明の効果】
【０００４】生ゴミカゴが隅々までキレイに洗えて、ヌルヌル感が残らなくなる。
【発明を実施するための最良の形態】
【０００５】生ゴミカゴを上部７分、下部３分位に切り離せるようにして、キレイに洗い終わったアトは、結合部分で一体化させて使う。
【図面の簡単な説明】
【０００６】
【図１】流し台の平面図
【図２】生ゴミカゴの側面図
【図３】生ゴミカゴの結合部の説明図
【手続補正２】
【補正対象書類名】図面
【補正対象項目名】全図
【補正方法】変更
【補正の内容】
【図１】
2010207563.tif 000004
【図２】
2010207563.tif 000005
【図３】
2010207563.tif 000006
(57)【要約】【課題】  地球温暖化は人間の生活を脅かし環境体系まで変えようとしている、その地球温暖化の原因の一つに二酸化炭素がある。今すぐ地球温暖化を食い止めなくてはいけないことは、異論を待たない。真先に、必要外の二酸化炭素、メタンを空気中から採らなくてはいけない。子や孫のため、いや、今日のためにも。【解決手段】  出来る限りエネルギーを使わず自然にあるものを活用し、空気中から二酸化炭素とメタンを採る。その方法として、雪に圧力を加え、又触媒を使い二酸化炭素を、炭化化合結晶物と溶解分離させて、二酸化炭素とメタンを採る。【選択図】  図１
2010207741.tif 000002
【特許請求の範囲】
【請求項１】
屋内に雪を入れ、雪そのものに圧力を加え二酸化炭素とメタンを採りながら冷蔵と冷房する、システム。
【請求項２】
屋内を雪槽と貯蔵槽とに仕切り二酸化炭素とメタンを採りながら冷蔵、冷房し、雪槽に圧力を加える、システム。
【請求項３】
屋内を雪槽のみにし、圧力を加え二酸化炭素とメタンを採りながら冷気を取り出す、システム。
【請求項４】
請求項１、２，３、４の雪と雪槽に触媒をいれる、システム。
【請求項５】
屋外で簡易ドームの中に雪を入れて二酸化炭素を採るシステム。
【請求項６】
請求項５の雪に触媒をいれる、システム。
【請求項７】
請求項１，２，３，４，５，６，７，のファンの動力に太陽光と風力を活用する、システム。
【請求項８】
室内のシステムで、テントや簡易的な構造物の室内において活用するシステム。
【発明の詳細な説明】
【技術分野】
【０００１】
本発明は二酸化炭素を空気中より採る技術です。
【背景技術】
【０００２】
従来の技術は二酸化炭素を固定する量には、確実性に欠けていた。
【特許文献１】特開2001-079342
【特許文献２】特開平  11-262633。
【発明の開示】
【発明が解決しようとする課題】
【０００３】
二酸化炭素と、メタンと塵を採り、温暖化を食い止める。
【課題を解決するための手段】
【０００４】
自然界のものである雪を活用し、二酸化炭素を空気中より採る。
【発明の効果】
【０００５】
地球温暖化を食い止める。
【発明を実施するための最良の形態】
【０００６】
雪を年中活用し、冷房、冷蔵しながら二酸化炭素を採る。
【実施例】
【０００７】
青森県平川市で行われている。
【産業上の利用可能性】
【０００８】
雪で冷房、冷蔵をしながら二酸化炭素を、採ることが出来るので多くの事業所で、利用可能である。
【図面の簡単な説明】
【０００９】
【図１】屋内に雪を入れ二酸化炭素を採りながら冷蔵と冷房するシステム。
【図２】屋内を仕切り冷蔵と加圧し二酸化炭素を採り冷房するシステム。
【図３】屋内に雪を入れ二酸化炭素を採りながら冷気を取り出すシステム。
【図４】屋外で簡易ドームの中に雪を入れて二酸化炭素を採るシステム。
【符号の説明】
【００１０】
イ  雪
ロ  圧力換気ファン
ハ  冷気取り出し口
二  溶解水取り出し口
ホ  溶解沈殿水槽
へ  排水ポンプ
ト  雪受けメシュ底板
チ  環気ファン
リ  貯蔵エリア
ヌ  出入りトビラ
ル  環気口
オ  圧力シート
ワ  圧力壁
カ  出入り圧力トビラ
【図１】
2010207741.tif 000003
【図２】
2010207741.tif 000004
【図３】
2010207741.tif 000005
【図４】
2010207741.tif 000006
(57)【要約】【課題】  技術のない一般の人にも左官作業、パテ塗り作業、防水作業、など塗付に関する作業が行える事を提供する。【解決手段】  中央分から分散される力配分と左右から握りをずらすことにより生まれる角度が実用的である事を特徴とする。【選択図】図３
2010207791.tif 000002
【特許請求の範囲】
【請求項１】
コテ塗り作業に関する中心部から加えられる力の配分に関するいっさいの範囲
【請求項２】
使用時に生ずるヘリ部分の角度に関するいっさいの範囲
【発明の詳細な説明】
【技術分野】
【０００１】  この発明は、使用時に押さえた力が全面に配分される事と、ヘリ部分に実用的な角度が生ずる事を可能にしたコテである。
【背景技術】
【０００２】  従来、握り部分は後方に付き、力を調整しながら作業を行っていた。
【発明の開示】
【発明が解決しようとする課題】
【０００３】  これは、次のような欠点があった。
従来、左官コテは後方に取手が付き均等に力加減を加えるのが困難で、又、ヘリ部分の角度を調整しながらコテ塗作業を行っていた。均等に塗布作業を行うためには、技術が無いと作業を行うことが困難であった。
本発明は、以上のような欠点をなくすためになされたものである。
【課題を解決するための手段】
【０００４】    図１取手柱を中央部に取り付ける事により力の配分が中央から外側に分散され、均一に塗布をする事が出来る。図２左右に握りをずらす事により、図３図４塗布面に付けた時に実用的な角度が生まれる。押さえる力具合に変化が起きる事から塗りつけと、しごき落す作業を自然に行なう事が出来る。
本発明は、以上の組み合わせからなるＳＴスムースゴテである。
【発明の効果】
【０００５】  技術が必要とされる作業が簡単に均一化され、実用的に生まれる角度で、安易に塗布作業を可能とする。
【発明を実施するための最良の形態】
【０００６】  以下、本発明を実施するための最良の形態について説明する。
ＳＴスムースゴテ図１は中心部分に柱を立てる事により力の配分が分散され、均一に塗布する事が可能となる。図２は左右に握りをずらす事により接地面で実用的な角度が生まれる。図３・図４は接地面と握りの距離に差が出来る事により、押さえ込む力の配分が変る事から塗りつけ、しごき作業を技術がない人でも実施する事が出来る。
本発明は、以上のような構造である。
【図面の簡単な説明】
【０００７】
【図１】  本発明に係るＳＴスムースゴテを示す斜視図である。
【図２】  本発明の係るＳＴスムースゴテを示す正面図である。
【図３】  本発明の係るＳＴスムースゴテを使用した弱力の実施例である。
【図４】  本発明の係るＳＴスムースゴテを使用した強力の実施例である。
【符号の説明】
【０００８】    １  取手柱
２  握り
【図１】
2010207791.tif 000003
【図２】
2010207791.tif 000004
【図３】
2010207791.tif 000005
【図４】
2010207791.tif 000006